(57)【特許請求の範囲】
【請求項１】
複数のチューブが軸方向に分離可能に嵌合された形態の折畳み式杖であって、
グリップが具備される上部チューブと尖頭部が具備される下部チューブとの間に１つ以上の中間チューブを軸方向に分離可能に連結し；
下部チューブの内側下部又は上部チューブの内側上部に弾性紐の一端を連結し、弾性紐の反対側端部を弾性紐が設置された当該チューブの内部中間地点まで延長し；
前記弾性紐の反対側端部に非弾性紐の一端を連結し、非弾性紐の反対側端部を１つ以上の中間チューブを順次通過させて反対側の上部チューブ又は下部チューブの内部まで延長して固定したことを特徴とする、折畳み式杖。
【請求項２】
前記１つ以上の中間チューブ間の連結部、中間チューブと上部チューブ間の連結部、又は中間チューブと下部チューブ間の連結部のいずれか１つ以上の連結部は、径の小さいチューブの外周にボタンが設置され、径の小さいチューブが径の大きいチューブの方向に引かれるときに前記ボタンが径の大きいチューブの端部面に掛かり、ボタンを押すと径の小さいチューブを径の大きいチューブ内に押し込むことができる状態となることを特徴とする、請求項１に記載の折畳み式杖。
【請求項３】
前記１つ以上の中間チューブ間の連結部、中間チューブと上部チューブ間の連結部、又は中間チューブと下部チューブ間の連結部のいずれか１つ以上の連結部は、一側のチューブにインサートが挿入固定され、反対側のチューブは前記インサートに分離可能に嵌合されることを特徴とする、請求項１に記載の折畳み式杖。
【請求項４】
複数のチューブが軸方向に分離可能に嵌合された形態の折畳み式杖であって、
グリップが具備される上部チューブと尖頭部が具備される下部チューブとの間に１つ以上の中間チューブを軸方向に分離可能に連結し；
下部チューブの下端部内側に弾性紐の一端を連結し、弾性紐の反対側端部を当該下部チューブの内部中間地点まで延長し；
下部チューブ内部の弾性紐に非弾性紐の一端を連結し、非弾性紐の反対側端部を１つ以上の中間チューブを順次通過させて上部チューブの内部まで延長して固定したことを特徴とする、折畳み式杖。
【請求項５】
前記１つ以上の中間チューブ間の連結部、中間チューブと上部チューブ間の連結部、又は中間チューブと下部チューブ間の連結部のいずれか１つ以上の連結部は、径の小さいチューブの外周にボタンが設置され、径の小さいチューブが径の大きいチューブの方向に引かれるときに前記ボタンが径の大きいチューブの端部面に掛かり、ボタンを押すと径の小さいチューブを径の大きいチューブ内に押し込むことができる状態となることを特徴とする、請求項４に記載の折畳み式杖。
【請求項６】
前記１つ以上の中間チューブ間の連結部、中間チューブと上部チューブ間の連結部、又は中間チューブと下部チューブ間の連結部のいずれか１つ以上の連結部は、一側のチューブにインサートが挿入固定され、反対側のチューブは前記インサートに分離可能に嵌合されることを特徴とする、請求項４に記載の折畳み式杖。
【請求項７】
グリップが具備される上部チューブ；
上部チューブに軸方向に分離可能に結合する第１中間チューブ；
第１中間チューブに軸方向に分離可能に結合する第２中間チューブ；及び
第２中間チューブに軸方向に分離可能に結合し、尖頭部が具備される下部チューブを含み、
下部チューブの下端部内側に結束具を設置し、
結束具に弾性紐の一端を連結し、弾性紐の反対側端部を下部チューブの内部中間地点まで延長し、
下部チューブ内部の弾性紐に非弾性紐の一端を連結し、非弾性紐の反対側端部は第２中間チューブと第１中間チューブを順次通過して上部チューブまで延長し、
上部チューブの内部に固定具を設置して前記非弾性紐の端部を固定具に固定したことを特徴とする、折畳み式杖。
【請求項８】
前記上部チューブと第１中間チューブ間の連結部、第１中間チューブと第２中間チューブ間の連結部、第２中間チューブと下部チューブ間の連結部のいずれか１つ以上の連結部は、径の小さいチューブの外周にボタンが設置され、径の小さいチューブが径の大きいチューブの方向に引かれるときに前記ボタンが径の大きいチューブの端部面に掛かり、ボタンを押すと径の小さいチューブを径の大きいチューブ内に押し込むことができる状態となることを特徴とする、請求項７に記載の折畳み式杖。
【請求項９】
上部チューブと第１中間チューブ間の連結部、第１中間チューブと第２中間チューブ間の連結部、第２中間チューブと下部チューブ間の連結部のいずれか１つ以上の連結部は、一側のチューブにインサートが挿入固定され、反対側のチューブは前記インサートに分離可能に嵌合されることを特徴とする、請求項７に記載の折畳み式杖。
【請求項１０】
前記上部チューブに前記第１中間チューブが滑動可能に挿入され、第１中間チューブの外周にボタンが設置され、第１中間チューブが引かれるときに前記ボタンが上部チューブの端部面に掛かるようになり、ボタンを押すと第１中間チューブを上部チューブ内に押し込むことができる状態となり；
第１中間チューブと第２中間チューブ間の連結部は、一側のチューブにインサートが挿入固定され、反対側のチューブは前記インサートに分離可能に嵌合され；
第２中間チューブと下部チューブ間の連結部は、一側のチューブにインサートが挿入固定され、反対側のチューブは前記インサートに分離可能に嵌合されることを特徴とする、請求項７に記載の折畳み式杖。
【発明の詳細な説明】
【技術分野】
【０００１】
本発明は、折畳み式杖に関し、より詳細には、複数のチューブを非弾性紐と弾性紐とを組み合わせて連結することにより、折畳みが便利で、固定が解除される現象を防止することができ、連結紐が外部に出ずにチューブ内部に配置されて美観に優れた折畳み式杖に関する。
【背景技術】
【０００２】
一般に、杖は、登山、スポーツ競技又は患者の歩行補助用等のように、使用者の身体を支える補助手段として使用される。こうした杖は、ポールの端部にグリップを具備した形態からなる。ポールは、通常、複数のチューブを互いに挿入、結合して、杖の長さだけ延長した形態からなる。
【０００３】
杖は、チューブの連結方法に応じて、伸縮式と折畳み式に分けることができる。伸縮式杖は、複数のチューブを“テレスコピック方式”や“アンテナ方式”により長さ方向に伸縮することができるように構成された形態であり、折畳み式杖は、複数のチューブを連結紐で連結してチューブを互いに分離した後、折り重ねることができるように構成された形態である。
【０００４】
折畳み式杖は、折り畳むときにチューブを押し込むのではなく、チューブを分離して折り畳む形態であるため、伸縮式に比べて折り畳んだときの長さを最小化することができるのである。
【０００５】
従来の折畳み式杖としては、非弾性紐によりチューブを結束する形と、ゴム紐のような弾性紐により結束する形態、そして、隣り合うチューブをインサートにより連結する形態が知られている。
【０００６】
非弾性紐、すなわち弾性のない紐でチューブを結束する形態は、図１〜図４に示されている。
【０００７】
図１及び図２に示されたところのように、隣り合うチューブ１０は、分離可能な状態で互いに嵌合され、尖頭部１２が具備されたチューブ１０からグリップ２０があるチューブ１０に至るまで、内部に非弾性紐３０が通過し、グリップ２０の部分にロック具４０が設置される。非弾性紐３０は、グリップ２０のロック具４０を通過し、端部にリング５０が設置されている。
【０００８】
図１のようにチューブ１０を分離して折り畳んだ状態において、図２のようにチューブ１０をすべて連結した後、非弾性紐３０を引いて固定することにより、チューブ１０が分離されないようにする。
【０００９】
非弾性紐３０の固定は、図３のようにリング５０を持って非弾性紐３０をぴんと引いてから、図４のように非弾性紐３０の結び目３５をロック具４０の係止溝４５に引っ掛ける方法により行われる。このようにして、非弾性紐３０が張りつめた状態で引っ掛かって固定されることにより、尖頭部１２があるチューブ１０が残りのチューブ１０をグリップ２０方向に引っ張ってチューブ１０が抜け落ちないようになる。
【００１０】
このように非弾性紐３０により伸ばされた状態で固定する形態の杖は、非弾性紐３０に結び目を作りロック具４０に引っ掛けてロックする構造であり、使用中にロック具４０から結び目３５が外れてしまう現象が発生し、ロック具４０自体がグリップ２０において緩むという問題が発生する。
【００１１】
また、結び目３５を引っ掛けるために非弾性紐３０を引いた分の非弾性紐３０が外部に出ているため、使用中に引っ掛かる現象が頻繁に発生し、非弾性紐３０がグリップストラップ２５（図１〜図３参照）と絡まるという問題も発生して使用が不便であり、伸びている非弾性紐３０は美観上も好ましくない。
【００１２】
また、非弾性紐３０を力を入れて引かなければならないので、高齢者が使用しづらい場合がある。
【００１３】
ゴム紐のような弾性紐により結束する形態は、結び目やロック具がなくてもよいが、弾性紐が杖全体の長さにわたって延びるため大きな弾性力を提供しにくく、時間の経過により弾力が低下するため、尖頭部１２がどこかに引っ掛かりでもすれば、チューブ間の連結部が容易に外れてしまう事故が発生する。
隣り合うチューブをインサートにより連結する形態は、チューブとインサート間の嵌合公差に締め代を付与して多少無理に結合する形態や、インサートに弾性体（例えば、ゴム）を形成しておき、弾性体の弾性力と摩擦力によりチューブに密着するようにした形態がある。しかし、このような形態は、使用を重ねるほどチューブとインサートが緩んでいき、容易に分離される事故が発生し得る。
【先行技術文献】
【特許文献】
【００１４】
【特許文献１】特開2006-081632号公報
【特許文献２】特開2005-287978号公報
【特許文献３】特開2005-278943号公報
【発明の概要】
【発明が解決しようとする課題】
【００１５】
本発明は、前記した従来の問題を解決するためのものであり、本発明の目的は、連結紐を引く等の別途の動作を必要とせず、使用が便利で、チューブ間の固定が解除される現象を最少化することができ、連結紐が外部に出ずにチューブ内部に配置されて美観に優れた折畳み式杖を提供することである。
【課題を解決するための手段】
【００１６】
上述した目的を達成するために、本発明に係る折畳み式杖は、複数のチューブが軸方向に分離可能に嵌合された形態の折畳み式杖であって、グリップが具備される上部チューブと尖頭部が具備される下部チューブとの間に１つ以上の中間チューブを軸方向に分離可能に連結し；下部チューブの内側下部又は上部チューブの内側上部に弾性紐の一端を連結し、弾性紐の反対側端部を弾性紐が設置された当該チューブの内部中間地点まで延長し；前記弾性紐の反対側端部に非弾性紐の一端を連結し、非弾性紐の反対側端部を１つ以上の中間チューブを順次通過させて反対側の上部チューブ又は下部チューブの内部まで延長して固定したことを特徴とする。
【００１７】
本発明の他の方向による折畳み式杖は、複数のチューブが軸方向に分離可能に嵌合された形態の折畳み式杖であって、グリップが具備される上部チューブと尖頭部が具備される下部チューブとの間に１つ以上の中間チューブを軸方向に分離可能に連結し；下部チューブの下端部内側に弾性紐の一端を連結し、弾性紐の反対側端部を当該下部チューブの内部中間地点まで延長し；下部チューブ内部の弾性紐に非弾性紐の一端を連結し、非弾性紐の反対側端部を１つ以上の中間チューブを順次通過させて上部チューブの内部まで延長して固定したことを特徴とする。
【００１８】
前記１つ以上の中間チューブ間の連結部、中間チューブと上部チューブ間の連結部、又は中間チューブと下部チューブ間の連結部のいずれか１つ以上の連結部は、径の小さいチューブの外周にボタンが設置され、径の小さいチューブが径の大きいチューブの方向に引かれるときに前記ボタンが径の大きいチューブの端部面に掛かり、ボタンを押すと径の小さいチューブを径の大きいチューブ内に押し込むことができる状態となるようにする。
【００１９】
前記１つ以上の中間チューブ間の連結部、中間チューブと上部チューブ間の連結部、又は中間チューブと下部チューブ間の連結部のいずれか１つ以上の連結部は、一側のチューブにインサートが挿入固定され、反対側のチューブは前記インサートに分離可能に嵌合されるように構成していてもよい。
【００２０】
本発明の他の方向による折畳み式杖は、グリップが具備される上部チューブ；上部チューブに軸方向に分離可能に結合する第１中間チューブ；第１中間チューブに軸方向に分離可能に結合する第２中間チューブ；及び、第２中間チューブに軸方向に分離可能に結合し、尖頭部が具備される下部チューブを含み、下部チューブの下端部内側に結束具を設置し、結束具に弾性紐の一端を連結し、弾性紐の反対側端部を下部チューブの内部中間地点まで延長し、下部チューブ内部の弾性紐に非弾性紐の一端を連結し、非弾性紐の反対側端部は第２中間チューブと第１中間チューブを順次通過して上部チューブまで延長し、上部チューブの内部に固定具を設置して前記非弾性紐の端部を固定具に固定したことを特徴とする。
【００２１】
ここで、上部チューブと第１中間チューブ間の連結部、第１中間チューブと第２中間チューブ間の連結部、第２中間チューブと下部チューブ間の連結部のいずれか１つ以上の連結部は、径の小さいチューブの外周にボタンが設置され、径の小さいチューブが径の大きいチューブの方向に引かれるときに前記ボタンが径の大きいチューブの端部面に掛かり、ボタンを押すと径の小さいチューブを径の大きいチューブ内に押し込むことができる状態となるようにする。
【００２２】
また、上部チューブと第１中間チューブ間の連結部、第１中間チューブと第２中間チューブ間の連結部、第２中間チューブと下部チューブ間の連結部のいずれか１つ以上の連結部は、一側のチューブにインサートが挿入固定され、反対側のチューブは前記インサートに分離可能に嵌合されるように構成していてもよい。
【００２３】
上部チューブに前記第１中間チューブが滑動可能に挿入され、第１中間チューブの外周にボタンが設置され、第１中間チューブが引かれるときに前記ボタンが上部チューブの端部面に掛かるようになり、ボタンを押すと第１中間チューブを上部チューブ内に押し込むことができる状態となり；第１中間チューブと第２中間チューブ間の連結部は、一側のチューブにインサートが挿入固定され、反対側のチューブは前記インサートに分離可能に嵌合され；第２中間チューブと下部チューブ間の連結部は、一側のチューブにインサートが挿入固定され、反対側のチューブは前記インサートに分離可能に嵌合されるようにしていてもよい。
【発明の効果】
【００２４】
本発明に係る折畳み式杖によれば、チューブの連結紐として弾性紐と非弾性紐とを組み合わせて弾性紐と非弾性紐の長所を活用する一方、弾性紐の長さを折り畳んだときに弾性紐が設置されたチューブを超えないようすることにより、弾性を増大し、耐久性の向上をもたらす。
【００２５】
また、杖を伸ばしたときに非弾性紐が弾性紐により自動的に引かれるので、非弾性紐や弾性紐をいずれも外部に出したり、使用するたびに引っ張ったりする必要がなく、引っ張って固定するためのロック具や結び目等の手段も必要としない。
【００２６】
また、弾性紐の長さが制限されているので、弾性紐が伸びたり伸縮力が低下したりするという問題を最小化することができ、それにより使用時にチューブが抜ける現象も最少化することができる。
【図面の簡単な説明】
【００２７】
【図１】従来の折畳み式杖を折り畳んだ状態を示した図である。
【図２】従来の折畳み式杖を伸ばした状態を示した図である。
【図３】従来の折畳み式杖の非弾性紐を引っ張る様子を示した図である。
【図４】従来の折畳み式杖の非弾性紐を引っ掛けて固定した様子を示した図である。
【図５】本発明に係る折畳み式杖の構造を示した図である。
【図６】本発明に係る折畳み式杖を伸ばした状態を示した図である。
【図７】本発明に係る折畳み式杖を折り畳む過程を示した図である。
【発明を実施するための形態】
【００２８】
以下、添付図面を参照しつつ、本発明の好ましい実施例について具体的に説明する。
【００２９】
図５及び図６は、本発明に係る折畳み式杖の構造を示した図である。以下においては、杖のグリップがある側を“上部”、尖頭部がある側を“下部”と方向を設定して説明する。
【００３０】
図５及び図６に示されたところのように、本発明に係る折畳み式杖は、グリップ１００が具備される上部チューブ１１０と、尖頭部１４２が具備される下部チューブ１４０とを備え、上部チューブ１１０と下部チューブ１４０との間に１つ以上の中間チューブ１２０，１３０を軸方向に分離可能に連結した形態である。
【００３１】
そして、前記すべてのチューブを連結するために、下部チューブ１４０の下端部内側に弾性紐３００の一端部が固定され、弾性紐３００の反対側端部は下部チューブ１４０の内部中間地点まで延長される。下部チューブ１４０には、弾性紐３００の一端部を固定するための別途の結束具３１０を設置していてもよい。
【００３２】
下部チューブ１４０の内部中間地点まで延長された弾性紐３００には、非弾性紐２００の一端が連結され、非弾性紐２００の反対側端部は、中間チューブ１２０，１３０を通過して上部チューブ１１０まで延長されて、上部チューブ１１０の内部に固定される。
【００３３】
上部チューブ１１０の内部には、固定具２１０を別途に設置し、この固定具２１０に前記非弾性紐２００の端部を結束していてもよい。
【００３４】
本実施例においては、結束具３１０と弾性紐３００は下部チューブ１４０側に設置し、固定具２１０と非弾性紐２００は上部チューブ１１０側に固定した形態で図示し、説明するが、これと反対の方向に設置しても差し支えない。たとえば、結束具３１０と弾性紐３００を上部チューブ１１０側に設置し、固定具２１０と非弾性紐２００を下部チューブ１４０側に設置していてもよい。
【００３５】
弾性紐３００は、杖を折り畳んだとき（弾性紐３００が最大に伸びたとき）にも、それが固定されるチューブ、すなわち本実施例においては、下部チューブ１４０の内部を超えない程度の長さを有するようにする。弾性紐が長すぎると、従来の弾性紐のみで連結された形態における問題点が発生する可能性を排除することができず、チューブを折り畳んだときに弾性紐３００がチューブの端部の角と摩擦を起こして、損傷又は弱化するおそれがある。
【００３６】
このように、本発明は、チューブの連結紐として弾性紐３００と非弾性紐２００を組み合わせて弾性紐３００と非弾性紐２００の長所を活用する一方、杖を折り畳んだときに弾性紐３００がチューブ１４０の外にはみ出ないようにすることにより、弾性を増大し、耐久性を高めたものである。
【００３７】
かかる本発明は、非弾性紐２００の一部に弾性紐３００を連結した形態により、杖を伸ばしたときに非弾性紐２００が弾性紐３００により自動的に引かれるので、非弾性紐２００や弾性紐３００をどちらも外に出しておく必要がなく、別途に引っ張る必要もなく、引っ張って固定するためのロック具や結び目等の手段も必要としない。
【００３８】
また、弾性紐３００の長さが制限されているので、弾性紐３００が伸びたり伸縮力が低下したりするという問題を最小化することができ、それにより使用時にチューブが抜ける現象も最少化することができる。
【００３９】
本明細書において、“弾性紐３００”とは、ゴム紐やバネのように伸縮する属性を有する紐状のものを意味し、“非弾性紐２００”とは、一般に繊維や革からなる紐、線、ロープのように伸縮性のない、又はほとんどない紐状のものを意味する。
【００４０】
また、上述した“１つ以上の中間チューブ１２０，１３０”として、本実施例においては、２つの中間チューブ、すなわち、第１中間チューブ１２０と第２中間チューブ１３０で構成された形態を図示し、説明したが、中間チューブの個数には限定がない。
【００４１】
中間チューブ１２０，１３０間の連結部、中間チューブ（第１中間チューブ）１２０と上部チューブ１１０間の連結部、又は中間チューブ（第２中間チューブ）１３０と下部チューブ１４０間の連結部は、ボタン１２４支持方式やインサート２２０，２３０結合方式を任意に選択及び組み合わせて適用していてもよい。
【００４２】
図面に示された実施例は、そのうち本発明の弾性紐３００と非弾性紐２００の組合せ方式による長所を極大化することのできる好ましい連結形態を例示したものである。すなわち、上部チューブ１１０と第１中間チューブ１２０は、滑動結合ボタン１２４による支持方式で構成し、第１中間チューブ１２０をグリップ１００の上部チューブ１１０の内部にテレスコピック方式で押し込むことができるようにすることにより、保管時（折り畳んだとき）に第１中間チューブ１２０を分離して折り畳む必要がないようにして使用利便性を与え、長さも短く維持することができるようにする。また、第１中間チューブ１２０と第２中間チューブ１３０間の連結部、及び第２中間チューブ１３０と下部チューブ１４０間の連結部は、インサート２２０，２３０による軸−孔分離／結合方式で構成して、使用時（伸ばしたとき）に尖頭部１４２が他の場所に引っ掛かっても容易に分離されないようにする。
【００４３】
これをより具体的に説明すると、上部チューブ１１０には第１中間チューブ１２０が滑動可能に挿入される。そして、第１中間チューブ１２０の外周には、ボタン１２４が設置される。これにより、使用時には、連結紐２００，３００により第１中間チューブ１２０が引かれるとき、前記ボタン１２４が上部チューブ１１０の端部面に掛かって固定され、保管時には、ボタン１２４を押すと、第１中間チューブ１２０を上部チューブ１１０内に押し込むことができる状態となる。グリップ１００側の上部チューブ１１０と第１中間チューブ１２０の対向する端部には、それぞれぐらつき防止スリーブ１１２，１２２を設置していてもよい。
【００４４】
第１中間チューブ１２０と第２中間チューブ１３０間の連結部は、一側のチューブ、すなわち第１中間チューブ１２０と第２中間チューブ１３０のいずれか（図においては、第１中間チューブ１２０）にインサート２２０が挿入固定され、このインサート２２０には、反対側のチューブ（図においては、第２中間チューブ１３０）が分離可能に嵌合される。インサート２２０は、連結管２２２の一部がチューブに圧入、焼ばめ又はボンディング等により付着される。連結管２２２の端部には、プラスチック又はゴム製のプラグ２２４が挿入されており、プラグ２２４がチューブ１３０の内面に安定的に密着される。プラグ２２４には、非弾性紐２００が通過するための貫通孔２２６が形成されている。
【００４５】
かかる事項は、第２中間チューブ１３０と下部チューブ１４０間の連結部に適用されたインサート２３０及びその構成要素である連結管２３２、プラグ２３４、貫通孔２３６にも同一に適用される。
【００４６】
一方、上部チューブ１１０とグリップ１００も滑動方式で伸縮することができるように構成していてもよい。これは、弾力スリーブ１１２の組み合わせにより行われる。このように、上部チューブ１１０をグリップ１００内に押し込むことができるようにすることにより、グリップ１００、上部チューブ１１０及び第１中間チューブ１２０を分離方式ではなくテレスコピック式伸縮方式で構成しても、折り畳んだ際に最小限の長さを維持することができ、それにより４節のチューブを３節で折り畳むことができるようにする。
【００４７】
図７は、本発明に係る折畳み式杖を折り畳む過程を示した図である。
【００４８】
図７（イ）は、使用時、すなわち杖を伸ばしたときの状態である。杖を伸ばししたときは、上部チューブ１１０、第１、第２中間チューブ１２０，１３０及び下部チューブ１４０がいずれも伸びた状態である。
【００４９】
保管時には、図７（ロ）のように、上部チューブ１１０をグリップ１００内に押し込み、図７（ハ）のように第１中間チューブ１２０を上部チューブ１１０内に押し込んだ後、図７（ニ）のように第２中間チューブ１３０及び下部チューブ１４０を順次分離し、図７（ホ）のように折り畳む。
【００５０】
本発明は、折畳み式杖に関するものである。本発明の杖は、複数のチューブが軸方向に分離可能に嵌合された形態の折畳み式杖であって、グリップが具備される上部チューブと尖頭部が具備される下部チューブとの間に１つ以上の中間チューブを軸方向に分離可能に連結し；下部チューブの内側下部又は上部チューブの内側上部に弾性紐の一端を連結し、弾性紐の反対側端部を弾性紐が設置された当該チューブの内部中間地点まで延長し；前記弾性紐の反対側端部に非弾性紐の一端を連結し、非弾性紐の反対側端部を１つ以上の中間チューブを順次通過させて反対側の上部チューブ又は下部チューブの内部まで延長して固定したことを特徴とする折畳み式杖を提供する。
【００５１】
かかる折畳み式杖によれば、弾性紐と非弾性紐とを組み合わせて弾性紐と非弾性紐の長所を活用する一方、弾性紐の長さを折り畳んだときに弾性紐が設置されたチューブを超えないようすることにより、弾性が増大し、耐久性が向上され、非弾性紐や弾性紐をいずれも外部に出しておく必要がなく、別途に引っ張る必要もなく、紐を引っ張って固定するためのロック具や結び目等の手段も必要としない。
【００５２】
以上においては、本発明の特定の好ましい実施例について図示し、かつ説明してきた。しかし、本発明は、上述した実施例に限定されず、特許請求の範囲において請求する本発明の要旨を超えることなく、本発明が属する技術分野における通常の知識を有する者であれば誰でも多様な変形実施が可能であろう。
【符号の説明】
【００５３】
１００：グリップ
１１２，１２２：スリーブ
１２０：上部チューブ
１２４：ボタン
１３０：第１中間チューブ
１４０：下部チューブ
１４２：尖頭部
２００：非弾性紐
２１０：固定具
２２０，２３０：インサート
２２２，２３２：連結管
２２４，２３４：プラグ
２２６，２３６：貫通孔
３００：弾性紐
３１０：結束具
【図５】
0005422701.tif 000002
【図６】
0005422701.tif 000003
【図７】
0005422701.tif 000004
【図１】
0005422701.tif 000005
【図２】
0005422701.tif 000006
【図３】
0005422701.tif 000007
【図４】
0005422701.tif 000008